(57)【要約】【課題】  各種配線の長さを最小限に短くできると共に、配線作業が容易で、組立て作業性が良い鍵盤楽器のケース構造を提供する。【解決手段】  楽器ケースが上部ケースと下部ケース６とを備え、下部ケース６が、上部ケースの前側下部に取り付けられる鍵盤搭載部材１５と、この鍵盤搭載部材１５の後端両側部および上部ケースの後側両側部に取り付けられる第１、第２の各ボックス部材１６、１７と、上部ケースの後側中間部分に位置決めされて鍵盤搭載部材１５の後端部およびこれに取り付けられた第１、第２の各ボックス部材１６、１７の各側部に取り付けられる底蓋部材１８とを備えた。従って、鍵盤を搭載した鍵盤搭載部材１５を上部ケース５の下部に取り付けた状態で、上部ケース５側のフラットケーブルや配線、および鍵盤搭載部材１５側の鍵盤配線などの各種の配線接続ができるので、配線作業が容易で、組立て作業の向上が図れる。【選択図】        図７
2010048947.tif 000002
【特許請求の範囲】
【請求項１】
鍵盤を上方に露出させる鍵盤開口部が前側に設けられ、その後側中間部分の上面に各種のスイッチが設けられ、且つ後側両側部の内面にスピーカが設けられる上部ケースと、前記鍵盤が前側に設けられて前記上部ケースの下部に取り付けられる下部ケースとを備えた鍵盤楽器のケース構造において、
前記下部ケースは、前記上部ケースの前側下部に取り付けられて前記鍵盤を搭載する鍵盤搭載部材と、この鍵盤搭載部材の後端両側部および前記上部ケースの後側両側部の下部にそれぞれ取り付けられる第１、第２の各ボックス部材と、前記上部ケースの後側中間部分の下部に位置決めされて前記鍵盤搭載部材の後端中間部および前記第１、第２の各ボックス部材の互いに対向する各側部に取り付けられる底蓋部材とを備えていることを特徴とする鍵盤楽器のケース構造。
【請求項２】
前記第１、第２の各ボックス部材は、前記鍵盤搭載部材の後端両側部に設けられた第１取付部にそれぞれ溶着によって締結される第１締結部と、前記上部ケースの後側両側部に設けられた第２取付部にそれぞれねじ部材によって締結される第２締結部とを備えていることを特徴とする請求項１に記載の鍵盤楽器のケース構造。
【請求項３】
前記底蓋部材は、前記上部ケースの後端中間部に設けられた位置決め部に位置決めされるフック部と、前記鍵盤搭載部材の後端中間部に設けられた第３取付部にねじ部材によって締結される第３締結部と、前記第１、第２の各ボックス部材の互いに対向する各側面に設けられた第４取付部にねじ部材によって締結される第４締結部とを備えていることを特徴とする請求項１または請求項２に記載の鍵盤楽器のケース構造。
【発明の詳細な説明】
【技術分野】
【０００１】
この発明は、電子ピアノなどの鍵盤楽器のケース構造に関する。
【背景技術】
【０００２】
従来、鍵盤楽器のケース構造においては、特許文献１に記載されているように、上部ケースと、前側下ケースと、後側下ケースとの３つに分割され、下側に位置する前側下ケースと後側下ケースとを中間連結部で接合し、この前側下ケースに鍵盤を取り付けると共に、上部ケースに各種のスイッチおよびスピーカを取り付け、この状態で前側下ケースと後側下ケースとの両者の上側に上部ケースを取り付けるように構成されたものが知られている。
【特許文献１】特開２００６−１７８３５４
【発明の開示】
【発明が解決しようとする課題】
【０００３】
このような鍵盤楽器のケース構造では、前側下ケースと後側下ケースとの両者の上側に上部ケースを取り付ける前に、前側下ケースに設けられた鍵盤の回路基板に接続されたフラットケーブルと、上部ケースに設けられた各種のスイッチやスピーカなどの各種配線とを、後側下ケース内に導いて電気的に接続し、この状態で前側下ケースと後側下ケースとの両者の上側に上部ケースを取り付けなければならない。
【０００４】
このため、このような鍵盤楽器のケース構造においては、前側下ケースに設けられた鍵盤の回路基板に接続されたフラットケーブルと、上部ケースに設けられた各種のスイッチやスピーカなどの各種配線とを、後側下ケース内において電気的に接続する際、後側下ケースと上部ケースとが分離されて離れているため、各種配線の長さに余裕をもたせて各配線を長くする必要がある。このため、前側下ケースと後側下ケースとの両者の上側に上部ケースを取り付けたときに、各種配線の長さに余りができ、その余った各種配線の後処理が必要となるため、組立て作業が煩雑で面倒であるという問題がある。
【０００５】
この発明が解決しようとする課題は、各種配線の長さを最小限に短くできると共に、配線作業が容易で、組立て作業性が良い鍵盤楽器のケース構造を提供することである。
【課題を解決するための手段】
【０００６】
この発明は、上記課題を解決するために、次のような構成要素を備えている。
請求項１に記載の発明は、鍵盤を上方に露出させる鍵盤開口部が前側に設けられ、その後側中間部分の上面に各種のスイッチが設けられ、且つ後側両側部の内面にスピーカが設けられる上部ケースと、前記鍵盤が前側に設けられて前記上部ケースの下部に取り付けられる下部ケースとを備えた鍵盤楽器のケース構造において、
前記下部ケースは、前記上部ケースの前側下部に取り付けられて前記鍵盤を搭載する鍵盤搭載部材と、この鍵盤搭載部材の後端両側部および前記上部ケースの後側両側部の下部にそれぞれ取り付けられる第１、第２の各ボックス部材と、前記上部ケースの後側中間部分の下部に位置決めされて前記鍵盤搭載部材の後端中間部および前記第１、第２の各ボックス部材の互いに対向する各側部に取り付けられる底蓋部材とを備えていることを特徴とする鍵盤楽器のケース構造である。
【０００７】
請求項２に記載の発明は、前記第１、第２の各ボックス部材が、前記鍵盤搭載部材の後端両側部に設けられた第１取付部にそれぞれ溶着によって締結される第１締結部と、前記上部ケースの後側両側部に設けられた第２取付部にそれぞれねじ部材によって締結される第２締結部とを備えていることを特徴とする請求項１に記載の鍵盤楽器のケース構造である。
【０００８】
請求項３に記載の発明は、前記底蓋部材が、前記上部ケースの後端中間部に設けられた位置決め部に位置決めされるフック部と、前記鍵盤搭載部材の後端中間部に設けられた第３取付部にねじ部材によって締結される第３締結部と、前記第１、第２の各ボックス部材の互いに対向する各側面に設けられた第４取付部にねじ部材によって締結される第４締結部とを備えていることを特徴とする請求項１または請求項２に記載の鍵盤楽器のケース構造である。
【発明の効果】
【０００９】
この発明によれば、下部ケースの鍵盤搭載部材に鍵盤を搭載すると共に、上部ケースに各種のスイッチおよびスピーカを搭載し、この鍵盤搭載部材を上部ケースの下部に取り付けた状態で、各種の配線を接続することができるので、配線作業が容易で、各種配線の長さを最小限の短くすることができる。また、この状態で、底蓋部材を上部ケースに位置決めして鍵盤搭載部材およびこれに取り付けられた第１、第２の各ボックス部材に取り付けることができる。このため、下部ケースを４つに分割しても、ケース全体を強固に組み付けることができると共に、配線作業が容易で、組立て作業の大幅な向上を図ることができる。
【発明を実施するための最良の形態】
【００１０】
以下、図１〜図１４を参照して、この発明を適用した鍵盤楽器のケース構造の一実施形態について説明する。
この鍵盤楽器は、図１および図２に示すように、楽器ケース１を備えている。この楽器ケース１は、全体が横長のほぼ箱状に形成されている。この楽器ケース１の前側（図１では下側）の内部には、鍵盤２が上方に露出して設けられている。
【００１１】
この場合、鍵盤２は、図１に示すように、白鍵および黒鍵からなる鍵２ａが多数配列され、これら各鍵２ａが押鍵操作によってそれぞれ上下方向（図１では紙面の表裏方向）に回動し、その下側に配置された回路基板（図示せず）の鍵スイッチをオン・オフさせるように構成されている。また、この楽器ケース１の鍵盤２の後側に位置する上面の中間部分には、図１に示すように、各種のスイッチ３が設けられており、更にこの楽器ケース１の鍵盤２の後側に位置する両側部の内部には、それぞれスピーカ４が設けられている。
【００１２】
この楽器ケース１は、図１および図２に示すように、上部ケース５と下部ケース６とで構成されている。上部ケース５は、図１および図３に示すように、鍵盤２の後方（図３では下側）に位置する横長の本体部５ａと、この本体部５ａの両側から鍵盤２の両側部に沿って前側（図３では上側）に延びた縁部５ｂとを備え、本体部５ａの前側に延びた両側の縁部５ｂ間に鍵盤２を上方に露出させるための鍵盤開口部５ｃが設けられた構成になっている。
【００１３】
この上部ケース５の本体部５ａにおける上面の中間部分は、図１に示すように、各種のスイッチ３が設けられている。また、この上部ケース５の本体部５ａにおける内面の中間部分は、図３に示すように、回路基板７および補助回路基板８が設けられている。更に、この上部ケース５の本体部５ａにおける内面の両側部には、それぞれスピーカ４が設けられている。
【００１４】
この場合、回路基板７と補助回路基板８とは、互いに電気的に接続されている。そして、回路基板７には、図３に示すように、各種のスイッチ３が電気的に接続されていると共に、フラットケーブル９の一端部が接続されている。また、補助回路基板８には、両側のスピーカ４がそれぞれ接続線１１によって電気的に接続されていると共に、接続用の配線１２の一端部が接続されている。
【００１５】
一方、下部ケース６は、図４〜図７に示すように、上部ケース５の前側下部に取り付けられて鍵盤２を搭載する鍵盤搭載部材１５と、この鍵盤搭載部材１５の後端両側部および上部ケース５の後側両側部の下部にそれぞれ取り付けられる第１、第２の各ボックス部材１６、１７と、上部ケース５の後側中間部分の下部に位置決めされて鍵盤搭載部材１５の後端中間部および第１、第２の各ボックス部材１６、１７の互いに対向する各側部に取り付けられる底蓋部材１８とを備えている。
【００１６】
鍵盤搭載部材１５は、図４〜図７に示すように、上部ケース５の鍵盤開口部５ｃおよびその両側の縁部５ｂに対応する横長のほぼ箱状に形成され、その上面側に鍵盤２が取り付けられ、この状態で上部ケース５の前側下部に取り付けられて、鍵盤２が上部ケース５の鍵盤開口部５ｃから上方に露出するように構成されている。この場合、鍵盤搭載部材１５の両側部には、複数の第１締結部２０が設けられている。この第１締結部２０は、図１０〜図１３に示すように、下部側が広く、上部側が狭くなるほぼ角筒状に形成され、その上端部にねじ挿入孔２０ａが設けられた構成になっている。
【００１７】
これにより、この鍵盤搭載部材１５は、図１０〜図１３に示すように、複数の第１締結部２０が上部ケース５の内面に設けられた複数の第１取付ボス部１９に対応し、この状態で締結ねじ２１が第１締結部２０内に下側から挿入されて、第１締結部２０の各ねじ挿入孔２０ａを通して上部ケース５の第１取付ボス部５ａに螺入することにより、上部ケース５の下部に取り付けられるように構成されている。
【００１８】
第１、第２の各ボックス部材１６、１７は、図７および図８に示すように、鍵盤搭載部材１５の後端部に設けられた第２取付部２２にそれぞれ溶着によって締結される第２締結部２３と、図１１に示すように、上部ケース５の後側両側部に設けられた複数の第３取付ボス部２４にそれぞれ締結ねじ２５によって締結される第３締結部２６とを備えている。
【００１９】
すなわち、第１、第２の各ボックス部材１６、１７の各第２締結部２３は、図７、図８、図１０および図１１に示すように、各ボックス部材１６、１７の前側内部に起立して設けられた３本の樹脂突起２３ａを備えている。この場合、鍵盤搭載部材１５の第２取付部２２は、図７、図８、図１０および図１１に示すように、鍵盤搭載部材１５の後端部における両側に取付片２２ａが後方に突出して設けられ、この取付片２２ａに複数の取付孔２２ｂが設けられた構成になっている。
【００２０】
これにより、第１、第２の各ボックス部材１６、１７のうち、第１ボックス部材１６は、図１０および図１１に示すように、各第２締結部２３の３本の樹脂突起２３ａが鍵盤搭載部材１５の第２取付部２２の各取付孔２２ｂに下側からそれぞれ挿入して上方に突出し、この突出した部分を溶融させて第２取付部２２の取付片２２ａに溶着することにより、鍵盤搭載部材１５の後端部に固着されるように構成されている。第２ボックス部材１７も、第１ボックス部材１６と同様、鍵盤搭載部材１５の後端部に固着されるように構成されている。
【００２１】
また、第１、第２の各ボックス部材１６、１７の第３締結部２６は、図１０および図１１に示すように、鍵盤搭載部材１５の第１締結部２０と同様、下部側が広く、上部側が狭くなるほぼ角筒状に形成され、その上端部にねじ挿入孔２６ａが設けられた構成になっている。これにより、第１、第２の各ボックス部材１６、１７は、図１１に示すように、第３締結部２６が上部ケース５の内面に設けられた複数の第３取付ボス部２４に対応し、この状態で締結ねじ２５が第３締結部２６内に下側から挿入されて、第３締結部２６のねじ挿入孔２６ａを通して上部ケース５の第３取付ボス部２４に螺入することにより、上部ケース５の下部に取り付けられるように構成されている。
【００２２】
底蓋部材１８は、図７、図８、図１２および図１３に示すように、上部ケース５の後端下部に設けられた位置決め部２７に位置決めされるフック部２８と、鍵盤搭載部材１５の後端下部に設けられた第４取付部３０に締結ねじ３１によって締結される第４締結部３２と、第１、第２の各ボックス部材１６、１７の互いに対向する各側面にそれぞれ設けられた第５取付部３３に締結ねじ３４によって締結される第５締結部３５とを備えている。
【００２３】
この場合、上部ケース５の位置決め部２７は、図１２に示すように、上部ケース５の後端部の内面下部に設けられた係止凹部である。底蓋部材１８のフック部２８は、図７および図８に示すように、底蓋部材１８の後端部から上側に向けて突出すると共に、その両側に切込み部２８ａが設けられ、これにより断面Ｌ字状に形成され、前後方向（図７では左右方向）に弾性変形するように構成されている。
【００２４】
これにより、底蓋部材１８は、図１２および図１３に示すように、この底蓋部材１８を上部ケース５の下部に取り付ける際に、フック部２８の先端部を上部ケース５の位置決め部２７に係脱可能に係止させることにより、底蓋部材１８の後端部が上部ケース５に対して位置決めされると共に、底蓋部材１８の前端部を鍵盤搭載部材１５の後端部に対して位置規制するように構成されている。
【００２５】
また、底蓋部材１８の第４締結部３２は、図７、図８および図１２に示すように、底蓋部材１８の前端部から下側に向けてＬ字状に折り曲げられた取付片３２ａにねじ挿入孔３２ｂが鍵盤搭載部材１５の第４取付部３０に対応して設けられた構成になっている。この場合、鍵盤搭載部材１５の第４取付部３０は、図７、図８および図１２に示すように、鍵盤搭載部材１５の後端部から後方(図１２では右側)に向けて突出した取付片３０ａにねじ挿入孔３０ｂが設けられ、この取付片３０ａの上面にねじ孔を有するボス部３０ｃがねじ挿入孔３０ｂに対応して設けられた構成になっている。
【００２６】
これにより、第４締結部３２は、図１２に示すように、鍵盤搭載部材１５の第４取付部３０における取付片３０ａの下側に第４締結部３２の取付片３２ａを配置して、この取付片３２ａのねじ挿入孔３２ｂを鍵盤搭載部材１５の第４取付部３０の各ねじ挿入孔３０ｂに対応させ、この状態で締結ねじ３１を第４締結部３２の下側から鍵盤搭載部材１５の第４取付部３０におけるボス部３０ｃ内のねじ孔に螺入させて締め付けることにより、底蓋部材１８の前端部を鍵盤搭載部材１５の後端部に固定するように構成されている。
【００２７】
さらに、底蓋部材１８の第５締結部３５は、図７、図８および図１３に示すように、底蓋部材１８の両側にそれぞれほぼ四角形状の凹部３５ａが設けられ、この凹部３５ａ内にねじ挿入孔３５ｂがそれぞれ設けられた構成になっている。この場合、第１、第２の各ボックス部材１６、１７の第５取付部３３は、図７、図８および図１３に示すように、第１第２の各ボックス部材１６、１７の互いに対向する各側面にその側方（互いに対向する方向）に向けて突出した取付片３３ａが設けられ、この取付片３３ａの下面にねじ孔を有するボス部３３ｂが設けられた構成になっている。
【００２８】
これにより、第５締結部３５は、図１３に示すように、第１、第２の各ボックス部材１６、１７の各側面に設けられた取付片３３ａの各ボス部３３ｂの下側に、第５締結部３５の両側部に設けられた凹部３５ａのねじ挿入孔３５ｂを対応させ、この状態で締結ねじ３４を第５締結部３５の下側から第１、第２の各ボックス部材１６、１７の各取付片３３ａの各ボス部３３ｂに螺入させて締め付けることにより、第１、第２の各ボックス部材１６、１７の互いに対向する各側部に底蓋部材１８の両側部を固定するように構成されている。
【００２９】
次に、この鍵盤楽器の楽器ケース１を組立てる場合について説明する。
まず、図３に示すように、上部ケース５に各種のスイッチ３、回路基板７、補助回路基板８、およびスピーカ４を組み付ける。この場合には、図３に示すように、上部ケース５の後側中間部分における上面に各種のスイッチ３を取り付けると共に、上部ケース５の後側中間部分における内面に回路基板７と補助回路基板８とを取り付ける。
【００３０】
また、上部ケース５の後側両側部における内面に、図３に示すように、それぞれスピーカ４を取り付ける。この状態で、各種のスイッチ３を回路基板７に電気的に接続すると共に、各スピーカ４を接続線１１で補助回路基板８に電気的に接続するほか、回路基板７にフラットケーブル９の一端部を接続すると共に、補助回路基板８に接続用の配線１２の一端部を接続する。
【００３１】
一方、図６および図７に示す下部ケース６の鍵盤搭載部材１５、第１、第２の各ボックス部材１６、１７、底蓋部材１８を用意する。そして、図９に示すように、まず、鍵盤搭載部材１５の後端両側部に第１、第２の各ボックス部材１６、１７をそれぞれ取り付ける。この場合には、図１０に示すように、鍵盤搭載部材１５の後端両側部にそれぞれ設けられた第２取付部２２の下側に、第１、第２の各ボックス部材１６、１７の前端部にそれぞれ設けられた各第２締結部２３を対応させる。
【００３２】
この状態で、第２締結部２３の３本の樹脂突起２３ａを鍵盤搭載部材１５の第２取付部２２の各取付孔２２ｂに下側から挿入して上方に突出させ、この突出した部分の樹脂突起２３ａを上方から溶融させて第２取付部２２の取付片２２ａに溶着する。このときには、上部ケース５が取り付けられておらず、鍵盤搭載部材１５の上方が開放されているので、樹脂突起２３ａを上方から容易に溶融させることができる。これにより、鍵盤搭載部材１５の後部両側に第１、第２の各ボックス部材１６、１７が固着される。
【００３３】
そして、鍵盤搭載部材１５上に鍵盤２を搭載し、この鍵盤２の回路基板（図示せず）に接続された鍵盤配線２ｂ(図４参照)を鍵盤搭載部材１５の後側中間部分に引出しておく。この状態で、図１１に示すように、鍵盤搭載部材１５と第１、第２の各ボックス部材１６、１７との両者の上部に上部ケース２を取り付ける。このときには、鍵盤搭載部材１５の両側部に設けられた複数の第１締結部２０を、上部ケース５の内面に設けられた複数の第１取付ボス部１９の下に対応させる。
【００３４】
この状態で、締結ねじ２１を第１締結部２０内に下側から挿入して、第１締結部２０の各ねじ挿入孔２０ａを通して上部ケース５の第１取付ボス部１９に螺入する。これにより、図１１に示すように、上部ケース５の下側に鍵盤搭載部材１５が取り付けられる。これと同時に、第１、第２の各ボックス部材１６、１７を上部ケース５の下部に取り付ける。
【００３５】
このときには、図１１に示すように、第１、第２の各ボックス部材１６、１７に設けられた第３締結部２６を上部ケース５の後側両側部に設けられた複数の第３取付ボス部２４にそれぞれ対応させ、この状態で締結ねじ２５を第３締結部２６のねじ挿入孔２６ａに下側から挿入して第３取付ボス部２４に螺入する。これにより、上部ケース５の後側両側部の下部に第１、第２の各ボックス部材１６、１７が取り付けられる。
【００３６】
そして、鍵盤搭載部材１５の後方に底蓋部材１８を接近させて配置する。この状態で、上部ケース５の内面に設けられた回路基板７に一端部が接続されたフラットケーブル９と、鍵盤２の回路基板（図示せず）に接続された鍵盤配線２ｂとを、底蓋部材１８のコネクタ３６に接続して、上部ケース５の回路基板７と鍵盤２の回路基板とを電気的に接続する(図４参照)。また、上部ケース５の内面に設けられた補助回路基板８に一端部が接続された配線１２を底蓋部材１８の電源部３７に接続する。
【００３７】
この後、図４および図５に示すように、底蓋部材１８を鍵盤搭載部材１５と第１、第２の各ボックス部材１６、１７に取り付ける。このときには、図１２に示すように、まず、底蓋部材１８の後端部に設けられたフック部２８を上部ケース５の後端下部に設けられた位置決め部２７に係合させて、上部ケース５に対する底蓋部材１８の取付位置を決め、底蓋部材１８の前端部を鍵盤搭載部材１５の後端部に取り付ける。
【００３８】
このときには、図１２に示すように、底蓋部材１８の前端部に設けられた第４締結部３２の取付片３２ａが、鍵盤搭載部材１５の後端部に設けられた第４取付部３０の下側に対応して配置されるので、締結ねじ３１を第４締結部３２の下側から鍵盤搭載部材１５の第４取付部３２におけるボス部３２ｃのねじ孔に螺入させて締め付ける。これにより、底蓋部材１８の前端部が鍵盤搭載部材１５の後端部に固定される。
【００３９】
また、この底蓋部材１８は、図１３に示すように、第１、第２の各ボックス部材１６、１７にも取り付けられる。このときには、フック部２８が位置決め部１７で位置決めされていることにより、底蓋部材１８の第５締結部３５が、第１、第２の各ボックス部材１６、１７の互いに対向する各側面に設けられた第５取付部３３の取付片３３ａの下側に配置され、この底蓋部材１８に設けられた第５締結部３５の凹部３５ａのねじ挿入孔３５ｂが、第１、第２の各ボックス部材１６、１７に設けられた第５取付部３３の各取付片３３ａの各ボス部３３ｂに対応する。
【００４０】
この状態で、図１３に示すように、締結ねじ３４を第５締結部３５の下側から第１、第２の各ボックス部材１６、１７に設けられた第５取付部３３の各取付片３３ａの各ボス部３３ｂに螺入させて締め付ける。これにより、第１、第２の各ボックス部材１６、１７の互いに対向する各側部に底蓋部材１８の両側部が固定される。
【００４１】
この結果、鍵盤搭載部材１５の後端部に第１、第２の各ボックス部材１６、１７および底蓋部材１８が取り付けられた下部ケース６が構成され、この下部ケース６の上部に上部ケース５が取り付けられて楽器ケース１全体が構成される。このように構成された楽器ケース１では、修理や点検をする場合、底蓋部材１８を上記と逆の手順で取り外すことにより、配線などの修理や点検が容易に行える。
【００４２】
このように、この鍵盤楽器のケース構造によれば、楽器ケース１が上部ケース５と下部ケース６とを備え、この下部ケース６が、上部ケース５の前側下部に取り付けられて鍵盤２を搭載する鍵盤搭載部材１５と、この鍵盤搭載部材１５の後端両側部および上部ケース５の後側両側部の下部にそれぞれ取り付けられる第１、第２の各ボックス部材１６、１７と、上部ケース５の後側中間部分の下部に位置決めされて鍵盤搭載部材１５の後端部および第１、第２の各ボックス部材１６、１７の互いに対向する各側部に取り付けられる底蓋部材１８とを備えているので、配線作業が容易にでき、組立て作業の向上を図ることができる。
【００４３】
すなわち、この鍵盤楽器のケース構造では、下部ケース６の鍵盤搭載部材１５に鍵盤２を搭載すると共に、上部ケース５に各種のスイッチ３およびスピーカ４を搭載して、鍵盤搭載部材１５を上部ケース５の下部に取り付け、この状態で上部ケース５側のフラットケーブル９や配線１２、および鍵盤搭載部材１５側の鍵盤配線２ｂなどの各種の配線を容易に接続することができるので、各種配線の長さを最小限に短くすることができると共に、配線作業が容易にできる。
【００４４】
また、この後は、底蓋部材１８を上部ケース５に位置決めして鍵盤搭載部材１５およびこれに取り付けられた第１、第２の各ボックス部材１６、１７に取り付けることができる。このため、下部ケース６を４つに分割しても、楽器ケース１全体を確実に且つ強固に組み付けることができるほか、配線作業が容易にできるので、組立て作業の向上を図ることができると共に、底蓋部材１８のみを取り外すことにより、修理や点検も容易にできる。
【００４５】
この場合、第１、第２の各ボックス部材１６、１７は、鍵盤搭載部材１５の後端部に設けられた第２取付部２２にそれぞれ溶着によって締結される第２締結部２６と、上部ケース５の後側両側部に設けられた第３取付ボス部２４にそれぞれ締結ねじ２５によって締結される第３締結部２６とを備えているので、第１、第２の各ボックス部材１６、１７を鍵盤搭載部材１５の後端部と上部ケース５の下部とに確実に且つ強固に取り付けることができる。
【００４６】
すなわち、第１、第２の各ボックス部材１６、１７は、上部ケース５に対して固定される前に、まず、鍵盤搭載部材１５の後端部に取り付けることにより、上部ケース５によって鍵盤搭載部材１５および第１、第２の各ボックス部材１６、１７の上側が塞がれることがないので、第１、第２の各ボックス部材１６、１７を鍵盤搭載部材１５の後端部に容易に且つ確実に取り付けることができる。
【００４７】
この場合には、第１、第２の各ボックス部材１６、１７の第２締結部２３である３本の樹脂突起２３ａを鍵盤搭載部材１５の第２取付部２２の各取付孔２２ｂに下側から挿入して上方に突出させ、この突出した部分を溶融させて第２取付部２２の取付片２２ａに溶着するので、鍵盤搭載部材１５の後端部に第１、第２の各ボックス部材１６、１７を確実に且つ強固に固定することができる。
【００４８】
また、この第１、第２の各ボックス部材１６、１７は、その両側部に第３締結部２６が設けられているので、鍵盤搭載部材１５の後端部に固定された状態で、第３締結部２６を上部ケース５の内面に設けられた複数の第３取付ボス部２４に対応させ、この状態で締結ねじ２５を第３締結部２６内に下側から挿入して、第３締結部２６のねじ挿入孔２６ａを通して上部ケース５の第３取付ボス部２４に螺入することができ、これにより第１、第２の各ボックス部材１６、１７を上部ケース５の下部に確実に取り付けることができる。
【００４９】
また、この鍵盤楽器のケース構造では、底蓋部材１８が、上部ケース５の後端部に設けられた位置決め部２７に位置決めされるフック部２８と、鍵盤搭載部材１５の後端部に設けられた第４取付部３０に締結ねじ３１によって締結される第４締結部３２と、第１、第２の各ボックス部材１６、１７の互いに対向する各側面に設けられた第５取付部３３に締結ねじ３４によって締結される第５締結部３５とを備えているので、配線作業が終了した後に、底蓋部材１８を鍵盤搭載部材１５、第１、第２の各ボックス部材１６、１７、および上部ケース５に確実に且つ強固に取り付けることができる。
【００５０】
この場合には、底蓋部材１８を上部ケース５の下部に取り付ける際に、底蓋部材１８の後端部に設けられたフック部２８の先端部を上部ケース５の位置決め部２７に係脱可能に係合させることにより、底蓋部材１８の後端部を上部ケース５に対して位置決めすることができると共に、底蓋部材１８の前端部を鍵盤搭載部材１５の後端部に対して位置規制することができる。
【００５１】
このため、底蓋部材１８の前端部に設けられた第４締結部３２を、鍵盤搭載部材１５の取付片３０ａの下側に配置させて、第４締結部３２の取付片３２ａに設けられたねじ挿入孔３２ｂを鍵盤搭載部材１５の第４取付部３０のねじ挿入孔３０ｂに対応させることができ、この状態で締結ねじ３１を第４締結部３２の下側から鍵盤搭載部材１５のボス部３２ｃのねじ孔に螺入させて締め付けることにより、底蓋部材１８の前端部を鍵盤搭載部材１５の後端部に確実に且つ強固に固定することができる。
【００５２】
また、この状態で、底蓋部材１８の両側部に設けられた第５締結部３５が、第１、第２の各ボックス部材１６、１７の各側面に設けられた第５取付部３３の取付片３３ａの下側に配置されるので、この第５締結部３５の両側部に設けられた凹部３５ａのねじ挿入孔３５ｂを、第１、第２の各ボックス部材１６、１７に設けられた第５取付部３３の各取付片３３ａの各ボス部３３ｂに対応させることができる。
【００５３】
このため、締結ねじ３４を第５締結部３５の下側から第１、第２の各ボックス部材１６、１７に設けられた第５取付部３３の各取付片３３ａの各ボス部３３ｂに螺入させて締め付けることにより、第１、第２の各ボックス部材１６、１７の互いに対向する各側部に底蓋部材１８の両側部を確実に且つ強固に固定することができる。これにより、下部ケース６が４つに分割されていても、楽器ケース１を確実に且つ強固に組み立てることができる。
【００５４】
また、この鍵盤楽器のケース構造によれば、下部ケース６が、鍵盤搭載部材１５と、第１、第２の各ボックス部材１６、１７と、底蓋部材１８との４に分割されているので、図１４に示すように、第１、第２の各ボックス部材１６、１７を、その大きさの異なる第１、第２の各ボックス部材４０、４１と替えて取り付けることができる。これにより、第１、第２の各ボックス部材１６、１７、４０、４１のみを替えるだけで、異なる機種の楽器ケース１を構成することができるので、金型コストを抑えることができ、生産性の高いものを得ることができる。
【図面の簡単な説明】
【００５５】
【図１】この発明を適用した鍵盤楽器のケース構造の一実施形態において鍵盤楽器を示した平面図である。
【図２】図１の鍵盤楽器の側面図である。
【図３】図１の楽器ケースにおける上部ケースの内面を示した下面図である。
【図４】図１の楽器ケースにおいて上部ケースを取り外した状態の下部ケース側を示した平面図である。
【図５】図４において鍵盤や配線を取り外した状態の下部ケースを示した平面図である。
【図６】図５の下部ケースを、鍵盤搭載部材、第１、第２の各ボックス部材、底蓋部材の４つに分割した状態を示した分解平面図である。
【図７】図６を斜め下から見た要部の分解斜視図である。
【図８】図７の更に要部を示した拡大分解斜視図である。
【図９】図６の状態で鍵盤搭載部材の後端両側部に第１、第２の各ボックス部材を取り付けた状態を示した平面図である。
【図１０】図９において鍵盤搭載部材と第１、第２の各ボックス部材との接合状態を示した要部の拡大断面図である。
【図１１】図１０の鍵盤搭載部材と第１、第２の各ボックス部材との上部に上部ケースを取り付けた状態を示した要部の拡大断面図である。
【図１２】図１１において鍵盤搭載部材と上部ケースとに底蓋部材を位置決めして取り付けた状態を示した要部の拡大断面図である。
【図１３】図１２において底蓋部材を第１、第２の各ボックス部材の各側部にも取り付けた状態を示した要部の拡大断面図である。
【図１４】図７において大きさの異なる第１、第２の各ボックス部材を交換して取り付ける状態を示した要部の分解斜視図である。
【符号の説明】
【００５６】
１  楽器ケース
２  鍵盤
２ａ  鍵
２ｂ  鍵盤配線
３  各種のスイッチ
４  スピーカ
５  上部ケース
５ｃ  鍵盤開口部
６  下部ケース
７  回路基板
８  補助回路基板
９  フラットケーブル
１２  配線
１５  鍵盤搭載部材
１６、１７、４０、４１  第１、第２の各ボックス部材
１８  底蓋部材
１９  第１取付ボス部
２０  第１締結部
２１、２５、３１、３４  締結ねじ
２２  第２取付部
２３  第２締結部
２４  第３取付ボス部
２６  第３締結部
２７  位置決め部
２８  フック部
３０  第４取付部
３２  第４締結部
３３  第５取付部
３５  第５締結部
【図１】
2010048947.tif 000003
【図２】
2010048947.tif 000004
【図３】
2010048947.tif 000005
【図４】
2010048947.tif 000006
【図５】
2010048947.tif 000007
【図６】
2010048947.tif 000008
【図７】
2010048947.tif 000009
【図８】
2010048947.tif 000010
【図９】
2010048947.tif 000011
【図１０】
2010048947.tif 000012
【図１１】
2010048947.tif 000013
【図１２】
2010048947.tif 000014
【図１３】
2010048947.tif 000015
【図１４】
2010048947.tif 000016